(57)【要約】【課題】引出しを閉じた状態で持ち上げてもラッチが解除されることがない収納家具における引出しのラッチ装置を得る。【解決手段】引出しに垂直軸まわりに回動可能に支持されたラッチ本体から水平方向に延設されたラッチ板３３を、引出しを閉じた状態で、収納家具本体内側面に向かって弾性付勢し、該内側面から離れるにしたがって上方に傾斜する下面が形成された係止突起１２２を前記内側面に設け、係止突起１２２にラッチ板３３に設けられた係止部３３ａが係止することによりラッチが掛かり、引出しの引手を引く操作に連動してラッチが解除される収納家具における引出しのラッチ装置であって、ラッチ板３３を、係止部３３ａの前側を前記内側面に対向する凹部３３ｂとし、凹部３３ｂの下方を開放した。【選択図】図７
2007135835.tif 000002
【特許請求の範囲】
【請求項１】
引出しに垂直軸まわりに回動可能に支持されたラッチ本体から水平方向に延設されたラッチ板を、前記引出しを閉じた状態で、収納家具本体の内側面に向かって弾性付勢し、該内側面から離れるにしたがって上方に傾斜する下面が形成された係止突起を前記収納家具本体の内側面に設け、該係止突起に前記ラッチ板に設けられた係止部が係止することによりラッチが掛かり、前記引出しの引手を引く操作に連動してラッチが解除される収納家具における引出しのラッチ装置であって、
前記係止突起と前記係止部とが係止した状態で、前記引出しが前記収納家具本体に対して相対的に上昇した場合であっても、前記係止突起の下面に当接しない形状とされたラッチ板を備えてなる収納家具における引出しのラッチ装置。
【請求項２】
前記ラッチ板が、前記係止部の前側に前記収納家具本体の内側面に対向する凹部が形成され、該凹部の下方を開放した形状とされた請求項１記載の収納家具における引出しのラッチ装置。
【請求項３】
前記係止突起が、前記収納家具本体の内側面板の前記ラッチ板に対向する面の裏面側からプレス金型を押圧して、該内側面板と一体に形成された請求項１記載の収納家具における引出しのラッチ装置。
【発明の詳細な説明】
【技術分野】
【０００１】
本発明は、ワゴン又は袖キャビネット等の収納家具における引出しのラッチ装置に関するものである。
【背景技術】
【０００２】
従来のワゴン又は袖キャビネット等の収納家具における引出しのラッチ装置として、垂直軸まわりに回動可能なラッチ本体から水平方向に延設されたラッチ板を、引出しを閉じた状態で収納家具本体の内側面に向かって弾性付勢し、前記ラッチ板に設けられた係止孔が、収納家具本体の内側面に設けられた係止突起に係合するように構成し、引出しの引手を引く操作に連動してラッチが解除されるものがある（例えば、特許文献１及び２参照。）。
【０００３】
【特許文献１】特許第３５０８５２９号公報（図３−６）
【特許文献２】特開２００２−３５７０３７号公報（図２、図３、図７）
【発明の開示】
【発明が解決しようとする課題】
【０００４】
引出しを備えた収納家具において、該引出しは収納家具本体の左右内側面に取付けられたレール並びに該レールに係合するローラ及びスライダー等の組合せからなる案内手段により支持されて前後に開閉可能とされるが、該案内手段には、前記引出しの開閉動作を円滑に行うために、上下方向及び左右方向のクリアランスが必ず設けられる。したがって、該クリアランスの存在により、前記引出しは前記案内手段により支持された位置から上方向及び左右方向に若干の移動が可能となっている。また、前記係止孔と前記係止突起との係止においても、位置誤差を吸収するためのクリアランスが設けられるため、該クリアランスの存在により、前記引出しは前後方向にも若干の移動が可能となっている。
【０００５】
前記係止突起は、収納家具本体の内側面の側板に直接若しくは該側板に取付けられる補強体等に別体の樹脂成形品を取付けて構成されるか、又は、前記側板若しくは補強体等の前記ラッチ板に対向する面の裏面側からプレス金型を押圧して一体に形成される。ここで、前記係止突起をプレス成形により形成する場合においては、前記プレス金型の抜き勾配を設ける必要があるため、該プレス成形により形成された係止突起には、前記内側面から離れるにしたがって上方に傾斜する下面が形成される。したがって、前記クリアランスの存在により、前記引出しを閉じた状態で、引出しの引手を引く操作を行わなくても、収納家具の運搬時等に引出しが持ち上げられたとき又は地震が発生したとき等のように、引出しが収納家具本体に対して相対的に上昇した場合には、前記傾斜下面に沿って前記ラッチ板が前記係止突起から離れる方向に回動してラッチが解除される場合がある。
【０００６】
また、前記係止突起を別体の樹脂成形品とする構成においても、該係止突起を成形する金型の抜き勾配により前記傾斜下面が形成される場合があるし、成形時において前記傾斜下面をなくしたとしても、前記クリアランスの存在から、前記引出しを閉じた状態で左右方向又は前後左右方向に繰り返し動かすと、前記係止突起が樹脂成形品であるため磨耗して、前記傾斜下面が形成される場合がある。このような場合においても、前記引出しを閉じた状態で、前記引出しが収納家具本体に対して相対的に上昇した場合には、前記傾斜下面に沿って前記ラッチ板が前記係止突起から離れる方向に回動してラッチが解除される場合がある。
【０００７】
本発明は、前記のような問題点を解決するためになされたものであり、引出しを閉じた状態で、該引出しの引手を引く操作を行わずに前記引出しが収納家具本体に対して相対的に上昇した場合であってもラッチが解除されることがない収納家具における引出しのラッチ装置を得ることを目的とする。
【課題を解決するための手段】
【０００８】
本発明に係る収納家具における引出しのラッチ装置は、前記課題解決のために、引出しに垂直軸まわりに回動可能に支持されたラッチ本体から水平方向に延設されたラッチ板を、前記引出しを閉じた状態で、収納家具本体の内側面に向かって弾性付勢し、該内側面から離れるにしたがって上方に傾斜する下面が形成された係止突起を前記収納家具本体の内側面に設け、該係止突起に前記ラッチ板に設けられた係止部が係止することによりラッチが掛かり、前記引出しの引手を引く操作に連動してラッチが解除される収納家具における引出しのラッチ装置であって、前記係止突起と前記係止部とが係止した状態で、前記引出しが前記収納家具本体に対して相対的に上昇した場合であっても、前記係止突起の下面に当接しない形状とされたラッチ板を備えてなるものである。
【０００９】
ここで、前記ラッチ板が、前記係止部の前側に前記収納家具本体の内側面に対向する凹部が形成され、該凹部の下方を開放した形状とされると好ましい。
【００１０】
また、前記係止突起が、前記係止突起が、前記収納家具本体の内側面板の前記ラッチ板に対向する面の裏面側からプレス金型を押圧して、該内側面板と一体に形成されると好ましい。
【発明の効果】
【００１１】
本発明に係る収納家具における引出しのラッチ装置によれば、引出しに垂直軸まわりに回動可能に支持されたラッチ本体から水平方向に延設されたラッチ板を、前記引出しを閉じた状態で、収納家具本体の内側面に向かって弾性付勢し、該内側面から離れるにしたがって上方に傾斜する下面が形成された係止突起を前記収納家具本体の内側面に設け、該係止突起に前記ラッチ板に設けられた係止部が係止することによりラッチが掛かり、前記引出しの引手を引く操作に連動してラッチが解除される収納家具における引出しのラッチ装置であって、前記係止突起と前記係止部とが係止した状態で、前記引出しが前記収納家具本体に対して相対的に上昇した場合であっても、前記係止突起の下面に当接しない形状とされたラッチ板を備えてなるので、前記引出しを閉じた状態で、前記引出しの引手を引く操作を行わなければ、前記引出しの持ち上げ等がされても前記ラッチ板が回動することはない。したがって、前記引出しを閉じた状態で、前記引出しの引手を引く操作を行わなければラッチが解除されることがない。
【００１２】
また、前記ラッチ板が、前記係止部の前側に前記収納家具本体の内側面に対向する凹部が形成され、該凹部の下方を開放した形状とされると、前記ラッチ板の強度及び剛性を確保しやすいため、上記効果に加え、ラッチ装置の信頼性の向上を図ることができる。
【００１３】
さらに、前記係止突起が、前記係止突起が、前記収納家具本体の内側面板の前記ラッチ板に対向する面の裏面側からプレス金型を押圧して、該内側面板と一体に形成されると、前記係止突起が収納家具本体の内側面板と一体に形成されているため、上記効果に加え、部品点数削減による部品コスト及び組立コストの削減により低コスト化を図ることができる。
【発明を実施するための最良の形態】
【００１４】
次に、本発明の実施の形態を添付図面に基づき詳細に説明するが、本発明は、添付図面に示された形態に限定されず特許請求の範囲に記載の要件を満たす実施形態の全てを含むものである。なお、本明細書においては、引出しを引き出す方向側（引出しを開ける方向側）を前、その反対側（引出しを閉じる方向側）を後とし、後方に向かって左右を左右とする。
【００１５】
図１は、本発明の実施の形態に係る収納家具における引出しのラッチ装置が、収納家具の例として示す上下２段の引出しを備えたワゴンに用いられた例を示す縦断左側面図である。また、図２〜図４はラッチ装置及び引手装置の説明図であり、図２は背面図、図３は左側面図、図４は分解斜視図である。さらに、図５〜図７はラッチ板及び係止突起の構成を示す説明図であり、図５は分解斜視図、図６は係止突起の形状説明図であり、図６（ａ）は右側面図、図６（ｂ）は縦断背面図、図７はラッチ板と係止突起の上下位置関係を示す左側面図である。さらにまた、図８はラッチ装置の構成を示す部分縦断背面図、図９は引手装置とラッチ装置との連動動作の説明図であり、図９（ａ）は引出しを閉じたラッチの作動状態を、図９（ｂ）は引手体を回動させたラッチの解除状態を示している。
【００１６】
図１において、ワゴン１０１は、ワゴン本体１０２と、ワゴン本体１０２の左右内側面に取付けられたレール並びに該レールに係合するローラ及びスライダー等の組合せからなる案内手段１０３，１０３により支持されて前後に開閉可能な、上段引出し１０４及び下段引出し１０５等から構成される。また、ワゴン本体１０２は、後側板１０６及び左右側板１０７，１０７からなる前側を開放してなる平面視略コ字状の側板、該側板の上部前後に取付けられた上框１０８ａ及び取付板１０８ｂ、該側板の下部前後に取付けられた下框１０９ａ及び底板１０９ｂ、上框１０８ａ及び取付板１０８ｂの上面に取付けられた天板１１０、並びに、下框１０９ａ及び底板１０９ｂの下面に取付けられたキャスター１１１，…等により構成される。該キャスター１１１，…により、ワゴン１０１の移動が容易となっている。
【００１７】
上段引出し１０４及び下段引出し１０５は、前板１の後面に裏カバー２を取付け、その後側に上方に開口する正面視略コ字状の胴板３を取付け、該胴板３の後側に後板４を取付けて物品の収容部を形成している。このような引出し１０４，１０５を備えたワゴン１０１において、前記案内手段１０３，…には、前記のとおり、引出し１０４，１０５の開閉動作を円滑に行うために、上下方向及び左右方向のクリアランスが設けられている。
【００１８】
引出し１０４，１０５を閉じてワゴン本体１０２内に収容した状態では、平面視及び側面視において天板１１０及び左右の側板１０７，１０７により該引出し１０４，１０５が隠されるため、すっきりとした外観の印象を与えることができるとともに、後述する樹脂製の引手体１２及びカバー体１３を保護することができる。
【００１９】
また、引出し１０４，１０５は、前記のとおり案内手段１０３，１０３により支持されて前後に開閉可能とされ、引出し１０４，１０５を閉じると、後述するラッチ装置３１が作動状態となるため、引出し１０４，１０５が不意に開くことが防止される。そして、引手体１２を引くと、該操作に連動してラッチ装置３１が解除状態となる。
【００２０】
図２〜図４において、前板１は、鋼板製であり、その上部は、後方に折り曲げられ、その上面には、左右方向軸まわりに回動可能に支持される引手体１２との干渉回避用である左右方向に延びる左右の通孔２２，２２が形成され、該後方折曲部から、さらに、上方、後方及び下方に連続して折り曲げられてカバー体支持部２１が形成される（図９も参照）。
【００２１】
また、前板１の左右は、後方及び左右方向内側へ連続して折り曲げられて平面視略コ字状とされ、該左右の折曲部の後面側には、回転軸受け１４，１４取付用の左右の切欠き２３，２３及び係止孔２５，２５、並びに、該切欠き２３及び係止孔２５の下側にはラッチ受け３６取付用の切欠き２４及び係止孔２６が形成される。
【００２２】
左右の回転軸受け１４，１４は、ポリアセタール、ポリプロピレン、ポリエチレンテレフタレート、ナイロン又はＡＢＳ等の合成樹脂製であり、前記左右の切欠き２３，２３に係合凸部１５，１５を係合させてスライドさせ、前記係止孔２５，２５に係止爪１６，１６を係止させることにより、前板１の裏側の前記左右の平面視略コ字状部内の、引手体１２から下方に離間させた位置に、円形の係合凹部１４ａ，１４ａを対向させた状態で取付けられる。なお、係合凹部１４ａ，１４ａは円形の孔であってもよい。
【００２３】
回転軸受け１４，１４の係合凹部１４ａ，１４ａには、該係合凹部１４ａ，１４ａの内径よりも長さが若干小さい、回転軸を構成する板体１７，１７が係合する。すなわち、回転軸受け１４，１４の係合凹部１４ａ，１４ａが、板体１７，１７に外嵌する。該板体１７，１７は、板金加工品である連結体１８の下部左右を左右方向外側に延設してなり、連結体１８と一体に形成される。
【００２４】
このような回転軸受け１４，１４、回転軸である板体１７，１７及び連結体１８の構成によれば、簡素な構成により回転軸及び回転軸受けを構成することができるため、部品点数削減により低コスト化を図ることができる。また、回転軸１７，１７が板金製であり回転軸受け１４，１４が合成樹脂製であるため、引手体１２の操作により該回転軸と該回転軸受けが摺動しても騒音が発生することがなく、静粛性を向上することができる。
【００２５】
引手装置１１は、引出し１０４，１０５の前板１の上側において、左右方向軸まわりに回動可能な、ポリアセタール、ポリプロピレン、ポリエチレンテレフタレート、ナイロン又はＡＢＳ等の合成樹脂製の引手体１２と、該引手体１２の回動による隙間を塞ぐ重合部が設けられた、引手体１２と同様の合成樹脂製のカバー体１３とを備えている。なお、カバー体１３は前板１と別体ではなく、一体のものであってもよい。
【００２６】
引手体１２は、略水平に左右方向に延びる水平板部１２ａと、該水平板部１２ａの前端から略垂直に左右方向に延びる垂直板部１２ｂとからなる側面視略Ｌ字状のものである。また、カバー体１３は、前記重合部である、引手体１２の水平板部１２ａの上側において略水平に左右方向に延びる水平カバー体１３ａと、該水平カバー体の後端から略垂直に左右方向に延びる垂直カバー体１３ｂとからなる側面視略Ｌ字状のものである。
【００２７】
引手体１２には、後方に延設された板状部の後端を垂下させてなる左右の取付部１２ｃ，１２ｃが一体に形成されているため、該取付部１２ｃ，１２ｃを前板１の前記左右の通孔２２，２２を通して連結体１８の後面に当接させた状態で、取付ねじ２８，２８を取付部１２ｃ，１２ｃの通孔１９，１９を通して連結体１８の螺孔１８ａ，１８ａに螺合させることにより、引手体１２は、該引手体１２から下方に離間させた位置の回転軸である板体１７，１７まわりに回動可能に支持される。
【００２８】
カバー体１３には、その後部に下側に開口部を有する函状の取付部１３ｃが一体に形成されているため、該取付部１３ｃを前板１の前記カバー体支持部２１に上側から外嵌した状態で、取付ねじ２７，…を取付部１３ｃの通孔２０，…を通してカバー体支持部２１の螺孔２１ｂ，…に螺合させることにより、カバー体１３は、前板１上部のカバー体支持部２１に固定される。
【００２９】
なお、カバー体支持部２１後側の隅部にはスリット２１ａ，…が形成されており、該スリット２１ａ，…に取付部１３ｃ内の補強リブ１３ｄ，…（図２参照）が係合するため、カバー体１３とカバー体支持部２１とは、強固に連結される。また、スリット２１ａ，…と補強リブ１３ｄ，…とを位置決め用のガイドとすることができるため、カバー体１３を前板１のカバー体支持部２１に取付ける作業の作業性を向上することができる。
【００３０】
次に、引手体１２の操作に連動するラッチ装置３１の構成について説明する。ラッチ本体３２には角孔３２ａが形成されており、該角穴３２ａには鋼製の駆動杆３９の垂直部３９ａが嵌入される。また、ラッチ本体３２にはラッチ板３３とストッパー３５とが略９０°位相をずらして水平方向に突設される。なお、ラッチ本体３２、ラッチ板３３及びストッパー３５は、ポリアセタール、ポリプロピレン、ポリエチレンテレフタレート、ナイロン又はＡＢＳ等の合成樹脂製であり、一体成形される。
【００３１】
ラッチ受け３６は、前記ラッチ本体３２等と同様の合成樹脂製であり、前記切欠き２４の上下に上下の係合片３７を係合させてスライドさせ、前記係止孔２６に係止爪３８を係止させることにより、前板１に取付けられる。そして、ラッチ受け３６の上下の係合孔３６ａ，３６ａにラッチ本体３２を係合させることにより、ラッチ本体３２、ラッチ板３３及びストッパー３５並びに駆動杆３９が垂直軸まわりに回動可能に支持される。なお、駆動杆３９の垂直部３９ａの上部は、左側（図２及び図４の右側）の回転軸受け１４に形成した図示しない垂直孔によっても支持される。
【００３２】
また、図５に示すように、ワゴン本体１０２の左側板１０７は、その前端部が右方（左右方向の内側方向）及び後方に連続して折り曲げられ、平面視コ字状の折曲部１０７ａが形成され、該折曲部１０７ａの後端には係合凸片１０７ｂ，…が後方に突設される。そして、ワゴン本体１０２の内側面板である平面視略コ字状の左前補強体１２１が、該コ字状の開口部側に設けられた前後の当接板１２１ａ，１２１ａを左側板１０７に当接させ、前面に形成された係合溝１２１ｂ，…を前記左側板１０７の係合凸片１０７ｂ，…に係合させた状態で、前記左側板１０７と前記当接板１２１ａ，１２１ａとがスポット溶接により強固に固定される。
【００３３】
このようにして、左側板１０７に固定された左前補強体１２１には、係止突起１２２，１２２が、引出し１０４，１０５を閉じた状態で、該引出し１０４，１０５に設けられた前記ラッチ板３３，３３の係止部３３ａ，３３ａと係止する位置に突設される。係止突起１２２，１２２は、左前補強体１２１のラッチ板３３に対向する面の裏面側からプレス金型を押圧して一体に形成されるため、図６に示すように、該係止突起１２２の下面には左前補強体１２１（ワゴン本体１０２の内側面）から離れるにしたがって上方に傾斜する下面１２２ａが形成される。したがって、係止突起１２２，１２２が左前補強体１２１と一体に形成されるため、部品点数削減による部品コスト及び組立コストの削減により低コスト化を図ることができる。
【００３４】
ラッチ板３３の係止部３３ａは、図３及び図４に示すように、係止突起１２２（図５〜図７参照）の後側の段部であり、該係止部３３ａの前側は凹部３３ｂとなっている。凹部３３ｂは、その前後上下の周壁の中で、係止突起１２２の下側に位置する下壁の全部又は一部を切り欠いた形状とされる。したがって、ラッチ板３３は、該凹部３３ｂの下方を開放した形状となっている。よって、係止突起１２２と係止部３３ａとが係止した状態で、引出し１０４，１０５が収納家具本体１０２に対して持ち上げられたとき又は地震が発生したとき等のように、引出し１０４，１０５が収納家具本体１０２に対して相対的に上昇し、図７（ａ）から図７（ｂ）のようにラッチ板３３が係止突起１２２に対して相対的に上昇した場合であっても、該係止突起１２２の下面１２２ａがラッチ板３３に当接しないように構成されている。
【００３５】
このように、ラッチ板３３が係止突起１２２に対して相対的に上昇しても、該係止突起１２２の下面１２２ａがラッチ板３３に当接しないようにするために、ラッチ板３３を凹部３３ｂの下方を開放した形状とすることは、ラッチ板３３に係止孔を設ける構成等と比較して、ラッチ板３３の強度及び剛性を確保しやすく、ラッチ装置３１の信頼性が向上するため、より好ましいといえる。
【００３６】
図２〜図４に示すように、ラッチ板３３は、ねじりコイルばね４０により、引出し１０４，１０５を閉じた状態でワゴン本体１０２の左側板１０７方向に向かって弾性付勢される。したがって、ラッチ板３３の係止部３３ａが、前記係止突起１２２に係止するため、引出し１０４，１０５を閉じた状態でラッチ装置３１が作動状態となり、前記のとおり引出し１０４，１０５が不意に開くことが防止される。
【００３７】
なお、ラッチ板３３の係止部３３ａと係止突起１２２との係止においても、位置誤差を吸収するためのクリアランスが設けられるため、該クリアランスの存在により、引出し１０４，１０５は前後方向にも若干の移動が可能となっている。また、ラッチ本体３２には、ラッチ板３３の前記係止突起１２２方向への回動を所定角度で規制する回転止め３４が突設されている。
【００３８】
駆動杆３９は、その垂直部３９ａの上部において前板１の左右方向の内側方向（図２の左方）に向かう水平部３９ｂが延設されている。該水平部３９ｂには後側から前記連結体１８から前側に延びる当接部１８ｂが当接する。
【００３９】
次に、図８及び図９により、引手装置１１及びラッチ装置３１の動作について説明する。図９（ａ）の引出し１０４，１０５を閉じた状態から、図９（ｂ）のように引手体１２を前方に引くと、引手体１２及び連結体１８は回転軸である板体１７，１７まわりに前方へ回動する。そうすると、連結体１８の当接部１８ｂにより駆動杆３９の水平部３９ｂが前方に押され、駆動杆３９の垂直軸まわりの回動に伴って、ラッチ本体３２、ラッチ板３３及びストッパー３５も、ラッチ板３３がワゴン本体１０２内側面に設けられた係止突起１２２から離れる方向に回動する。
【００４０】
このようにして、引手体１２を前方に引くと、該操作に連動してラッチ装置３１が解除状態となる。したがって、このラッチ装置３１の解除状態では、引出し１０４，１０５を引き出すことができる。なお、図８に示すように合成樹脂製のストッパー３５が鋼製の前板１の背面に当接して駆動杆３９及びラッチ板３３等の回動を規制し、鋼製の駆動杆３９の水平部３９ｂ先端が鋼製の前板１の背面に当接しないように構成しているため、ラッチ装置３１の解除時における騒音を抑制することができる。
【００４１】
引出し１０４，１０５を閉じたラッチの作動状態において、前記のようにラッチ板３３が係止突起１２２に対して相対的に上昇しても、該係止突起１２２の下面１２２ａがラッチ板３３に当接しない。したがって、係止突起１２２の前記傾斜下面１２２ａ（図６参照）があると共に前記クリアランスの存在により引出し１０４，１０５は上方に若干移動可能であるが、引出し１０４，１０５の引手体１２，１２を引く操作を行わなければ、引出し１０４，１０５の持ち上げ等がされて、図７（ａ）から図７（ｂ）のようにラッチ板３３が係止突起１２２に対して相対的に上昇しても、前記傾斜下面１２２ａにラッチ板３３が当接しないため、ラッチ板３３が回動してラッチ装置３１が解除状態となることはない。
【００４２】
以上の説明においては、係止突起１２２が左前補強体１２１のラッチ板３３に対向する面の裏面側からプレス金型を押圧して一体に形成される場合を示したが、このような係止突起を左前補強体１２１と別体の樹脂成形品とする場合であっても、該係止突起を成形する金型の抜き勾配により前記傾斜下面が形成される場合があるし、成形時において前記傾斜下面をなくしたとしても、前記クリアランスの存在から、引出し１０４，１０５を閉じた状態で左右方向又は前後左右方向に繰り返し動かすと、樹脂成形品である係止突起が磨耗して図６の傾斜下面１２２ａと同様の傾斜下面（ワゴン本体１０２の内側面から離れるにしたがって上方に傾斜する下面）が形成される場合がある。
【００４３】
このような場合においても、前記のとおり、ラッチ板３３の係止突起が係合する凹部３３ｂの下方を開放した形状としているため、引出し１０４，１０５の引手体１２，１２を引く操作を行わなければ、該引出し１０４，１０５の持ち上げ等がされても、係止突起の傾斜下面にラッチ板３３が当接しないため、ラッチ板３３が回動してラッチ装置３１が解除状態となることはない。
【図面の簡単な説明】
【００４４】
【図１】本発明の実施の形態に係る収納家具における引出しのラッチ装置が上下２段の引出しを備えたワゴンに用いられた例を示す縦断左側面図である。
【図２】ラッチ装置及び引手装置の背面図である。
【図３】同じく左側面図である。
【図４】同じく分解斜視図である。
【図５】ラッチ板と係止突起の構成を示す分解斜視図である。
【図６】係止突起の形状説明図であり、（ａ）は右側面図、（ｂ）は縦断背面図である。
【図７】ラッチ板と係止突起の上下位置関係を示す左側面図である。
【図８】ラッチ装置の構成を示す部分縦断背面図である。
【図９】引手装置とラッチ装置との連動動作の説明図であり、（ａ）はラッチの作動状態を、（ｂ）はラッチの解除状態を示している。
【符号の説明】
【００４５】
１０１  ワゴン（収納家具）
１０２  ワゴン本体（収納家具本体）
１０３  案内手段
１０４  上段引出し
１０５  下段引出し
１０６，１０７側板
１２１  左前補強体（内側面板）
１２２  係止突起
１２２ａ  下面
１  前板
１１  引手装置
１２  引手体
１２  引手体
１３  カバー体
１４  回転軸受け
１４ａ  係合凹部
１７  板体（回転軸）
１８  連結体
１８ｂ  当接部
３１  ラッチ装置
３２  ラッチ本体
３２ａ  角孔
３３  ラッチ板
３３ａ  係止部
３３ｂ  凹部
３４  回転止め
３５  ストッパー
３６  ラッチ受け
３６ａ  係合孔
３７  係合片
３８  係止爪
３９  駆動杆
３９ａ  垂直部
３９ｂ  水平部
４０  ねじりコイルばね
【図１】
2007135835.tif 000003
【図２】
2007135835.tif 000004
【図３】
2007135835.tif 000005
【図４】
2007135835.tif 000006
【図５】
2007135835.tif 000007
【図６】
2007135835.tif 000008
【図７】
2007135835.tif 000009
【図８】
2007135835.tif 000010
【図９】
2007135835.tif 000011